(57)【特許請求の範囲】
【請求項１】
インストルメントパネルを構成する上部インパネ部材と下部インパネ部材との分割係合面に、前記インストルメントパネルに対して配索されるワイヤハーネスを収容するための凹状に窪ませたハーネス配索経路を形成し、該ハーネス配索経路に前記ワイヤハーネスを固定する構造であって、
前記ハーネス配索経路の底壁に、エアダクト近傍の該ハーネス配索経路で生じる結露等の水の排出口を兼ねる開口部と、該開口部の前記ハーネスに沿った方向の一開口縁から突出するとともに前記ハーネスが通過可能なように該開口部の他の開口縁との間に間隙を設けて形成される固定片と、を有するハーネス固定部を形成し、
前記ワイヤハーネスを前記底壁の面から前記開口部の中へ押し込み略Ｕ字状に屈曲させ前記固定片と前記他の開口縁との間に前記ワイヤハーネスの屈曲部分を保持して前記ハーネス配索経路で前記ワイヤハーネスを固定することを特徴とするインストルメントパネルにおけるワイヤハーネスの固定構造。
【請求項２】
前記固定片に前記ワイヤハーネスのはずれを防止する突起を設けることを特徴とする請求項１に記載のインストルメントパネルにおけるワイヤハーネスの固定構造。
【請求項３】
前記固定片を短冊片状に形成することを特徴とする請求項１又は請求項２に記載のインストルメントパネルにおけるワイヤハーネスの固定構造。
【請求項４】
前記固定片は弾性を有することを特徴とする請求項１ないし請求項３いずれか一項に記載のインストルメントパネルにおけるワイヤハーネスの固定構造。
【請求項５】
前記固定片と前記ワイヤーハーネスが通過する前記他の開口縁との間の間隙に、開口部の内部側に湾曲していて、前記ワイヤハーネスの過度の屈曲を制限するストッパを形成することを特徴とする請求項１ないし請求項４いずれか一項に記載のインストルメントパネルにおけるワイヤハーネスの固定構造。
【請求項６】
前記ハーネス固定部を前記ハーネス配索経路に少なくとも２以上形成することを特徴とする請求項１ないし請求項５いずれか一項に記載のインストルメントパネルにおけるワイヤハーネスの固定構造。
【請求項７】
上部インパネ部材と下部インパネ部材との分割係合面にワイヤハーネスを配索収容するための凹状に窪ませたハーネス配索経路を有するインストルメントパネルであって、
前記ハーネス配索経路の底壁に、エアダクト近傍の該ハーネス配索経路で生じる結露等の水の排出口を兼ねる開口部と、該開口部の前記ハーネスに沿った方向の一開口縁から突出するとともに前記ハーネスが通過可能なように該開口部の他の開口縁との間に間隙を設けて形成される固定片と、を有するハーネス固定部を形成することを特徴とするインストルメントパネル。
【請求項８】
前記ハーネス固定部をエアダクト近傍の前記ハーネス配索経路に少なくとも２以上形成することを特徴とする請求項７に記載のインストルメントパネル。
【発明の詳細な説明】
【０００１】
【発明の属する技術分野】
本発明は、自動車等の車両のインストルメントパネルにおけるワイヤハーネスの固定構造及びインストルメントパネルに関し、特に、ハーネス配索経路で生じる可能性のある結露等の水の排出が可能なハーネス固定部をハーネス配索経路に形成してワイヤハーネスを固定する構造と、その固定構造を有するインストルメントパネルに関するものである。
【０００２】
【従来の技術】
図１０は、特開平５−７７６５９号公報に開示された自動車等の車両のインストルメントパネルを示している。この開示されたインストルメントパネル１は、共に合成樹脂製の上部インパネ部材２と下部インパネ部材３とから構成されており、上部インパネ部材２には、メータフード４が取り付けられるようになっている。
【０００３】
上部インパネ部材２の前端部には、デフロスタ用のエア吹き出し口５が形成されており、車室側の左右端部及び中央には、空調用のエア吹き出し口６及び７が形成されている。エア吹き出し口６及び７には、それぞれ風向き及び風量その他の吹き出し状態調節機能を備えたカバー６ａ、７ａが設けられるようになっている。
【０００４】
尚、上部インパネ部材２の符号８は小物用トレイを示している。また、メータフード４は、上部インパネ部材２に形成された取り付け部９に取り付けられるようになっており、内部に図示しない速度計、回転計等の計器類が装備されている。
【０００５】
図１０及び図１１において、下部インパネ部材３には、上部インパネ部材２（図１０参照）との分割係合面に凹状に窪ませた空調用のエアダクト１０と、デフロスタ用のエアダクト１１と、インストルメントパネル１（図１０参照）に配索される回路体のためのハーネス配索経路１２とが形成されており、エアダクト１０には、図示しない空調ユニットからのエア導入用流路１３が設けられている。また、エアダクト１１にも同様にエア導入用流路１４が設けられている。
【０００６】
ハーネス配索経路１２には、図１０に示される形態の場合、ワイヤハーネスに相当する導電性ストライプ１５が直接塗布、又は印刷されている。
【０００７】
一方、図１２に示される如く、上部インパネ部材２の前記下部インパネ部材３に対する分割係合面には、前記エアダクト１０及び１１（図１１参照）、ハーネス配索経路１２（図１１参照）に対応するエアダクト１６及び１７、ハーネス配索経路１８が形成されており、上部インパネ部材２と前記下部インパネ部材３とが係合した際に、所望の空間が形成されるようになっている。
【０００８】
【発明が解決しようとする課題】
上記従来技術にあっては、図１０に示される如く、上部インパネ部材２と下部インパネ部材３とによる２分割形状でインストルメントパネル１を構成しているため、エアダクト１０（１６）及び１１（１７）、ハーネス配索経路１２（１８）を一体成形することが可能になり、例えばエアダクト１０（１６）及び１１（１７）では、エアダクト用の接続管や蛇腹管が不要になって組立工程が簡素化されるといった効果を奏するようになっている。
【０００９】
しかし、図１３に示される如く、ハーネス配索経路１２、１８は、エアダクト１０、１６に沿って形成されていることから、例え矢線Ｐに示される部位をエアダクト１０、１６からの漏気が発生しないように配慮しても、インストルメントパネル１が受ける環境温度変化や、エアダクト１０、１６とハーネス配索経路１２、１８との温度差等とによって、ハーネス配索経路１２、１８の内壁に結露を生じてしまう恐れがある。
【００１０】
そして、その結露による水がハーネス配索経路１２、１８に溜まってしまうことは、電気的に好ましくない。
【００１１】
一方、図１０に示される如く、ハーネス配索経路１２（１８）には、導電性ストライプ１５が設けられているが、図１３に示される如くのワイヤハーネス１９を配索するようにした場合には、そのワイヤハーネス１９がズレないように固定する必要がある。即ち、車
両走行時の振動によるワイヤハーネス１９の振れを抑えるために、ワイヤハーネス１９を直接接着したり、例えば予めワイヤハーネス１９に装着した図示しないプロテクタやクリップ等を用いて固定しなければならない。
【００１２】
従って、部品点数が増加して組み付け作業が繁雑になってしまうといった事態を招いてしまうことになる。また、上記図示しないプロテクタやクリップ等では、ワイヤハーネス１９の製造時に、ある程度の寸法精度が要求（プロテクタやクリップ等を所定位置に組み付けるため）されるので、組み付け作業をさらに繁雑にさせ、生産性に影響を来してしまうことになる。
【００１３】
本発明は、上述した事情に鑑み、接着剤やクリップ等の別部材を用いることなく合理的にワイヤハーネスを固定するとともに、その固定の際の組み付け誤差を吸収し、さらには結露等の水を容易に排出することができるインストルメントパネルにおけるワイヤハーネスの固定構造及びインストルメントパネルを提供することを課題とする。
【００１４】
【課題を解決するための手段】
上記課題を解決するためなされた請求項１記載の本発明のインストルメントパネルにおけるワイヤハーネスの固定構造は、インストルメントパネルを構成する上部インパネ部材と下部インパネ部材との分割係合面に、前記インストルメントパネルに対して配索されるワイヤハーネスを収容するための凹状に窪ませたハーネス配索経路を形成し、該ハーネス配索経路に前記ワイヤハーネスを固定する構造であって、前記ハーネス配索経路の底壁に、エアダクト近傍の該ハーネス配索経路で生じる結露等の水の排出口を兼ねる開口部と、該開口部の前記ハーネスに沿った方向の一開口縁から突出するとともに前記ハーネスが通過可能なように該開口部の他の開口縁との間に間隙を設けて形成される固定片と、を有するハーネス固定部を形成し、前記ワイヤハーネスを前記底壁の面から前記開口部の中へ押し込み略Ｕ字状に屈曲させ前記固定片と前記他の開口縁との間に前記ワイヤハーネスの屈曲部分を保持して前記ハーネス配索経路で前記ワイヤハーネスを固定することを特徴としている。
【００１５】
上記構成において、インストルメントパネルにおけるワイヤハーネスの固定構造は、インストルメントパネルを構成する上部インパネ部材と下部インパネ部材との分割係合面に形成されたハーネス配索経路に、開口部と固定片とを有するハーネス固定部を形成し、そのハーネス固定部がハーネス配索経路でワイヤハーネスを固定する構造を採用している。ハーネス固定部の開口部は、ハーネス配索経路で生じる結露等の水の排出口を兼ねており、固定片は、該開口部の前記ハーネスに沿った方向の一開口縁から突出するとともに前記ハーネスが通過可能なように該開口部の他の開口縁との間に間隙を設けて形成される固定片と、を有するハーネス固定部を形成し、前記ワイヤハーネスを前記底壁の面から前記開口部の中へ押し込み略Ｕ字状に屈曲させ前記固定片と前記他の開口縁との間に前記ワイヤハーネスの屈曲部分を保持して前記ハーネス配索経路で前記ワイヤハーネスを固定するようになっている。このような固定構造を採用すると、予めクリップ等の別部材を装着する必要がなくなり、ワイヤハーネスの生産性が向上するのは勿論のこと、従来の煩雑な組み付け作業が解消されることになる。またこれに伴って、別部材に対する寸法精度の要求が当然の如くなくなる。一方、ハーネス固定部は、上述のように簡素な構成であり、また、屈曲挿入されたワイヤハーネスを固定片が保持するようになっているため、ワイヤハーネスの屈曲位置を調節すれば、容易に固定の際の組み付け誤差を吸収させることができるようになる。さらにまた、開口部が排出口を兼ねることから、ハーネス配索経路内に水が溜まってしまうことはない。従って、接着剤や別部材を用いることなく合理的にワイヤハーネスを固定するとともに、その固定の際の組み付け誤差を吸収し、さらには結露等で生じる水を容易に排出することが可能なワイヤハーネスの固定構造を提供することができる。
【００１６】
請求項２記載の本発明のインストルメントパネルにおけるワイヤハーネスの固定構造は、前記固定片に前記ワイヤハーネスのはずれを防止する突起を設けることを特徴とする請求項１に記載のインストルメントパネルにおけるワイヤハーネスの固定構造である。
【００１７】
上記構成において、固定片に突起を設けてワイヤハーネスのはずれを防止するようになっている。従って、このような突起を設けることにより、その突起がワイヤハーネスと係合し、走行中の振動等の要因でワイヤハーネスがハーネス固定部からはずれてしまうこと
を防ぐことができる。
【００１８】
請求項３記載の本発明のインストルメントパネルにおけるワイヤハーネスの固定構造は、前記固定片を短冊片状に形成することを特徴とする請求項１又は請求項２に記載のインストルメントパネルにおけるワイヤハーネスの固定構造である。
【００１９】
上記構成において、ハーネス固定部の固定片を短冊片状に形成するようになっている。従って、固定片をハーネス配索経路の板厚に合わせて形成することが可能になるので、成形性を高めることができる。
【００２０】
請求項４記載の本発明のインストルメントパネルにおけるワイヤハーネスの固定構造は、前記固定片は弾性を有することを特徴とする請求項１ないし請求項３いずれか一項に記載のインストルメントパネルにおけるワイヤハーネスの固定構造である。
【００２１】
上記構成において、ハーネス固定部の固定片は弾性を有するようになっている。従って、ワイヤハーネスを固定する際に、固定片を撓ませながら容易に装着することができる。また、例えばワイヤハーネスに伝わった走行中の振動等を固定片の弾性によって吸収させることもできる。
【００２２】
請求項５記載の本発明のインストルメントパネルにおけるワイヤハーネスの固定構造は、請求項１ないし請求項４いずれか記載のインストルメントパネルにおけるワイヤハーネスの固定構造において、前記固定片と前記他の開口縁との間の間隙に、開口部の内部側に湾曲していて、ワイヤハーネスの過度の屈曲を制限するストッパを形成することを特徴としている。
【００２３】
上記構成において、前記固定片と前記他の開口縁との間の間隙に、開口部の内部側に湾曲していて、ワイヤハーネスの過度の屈曲を制限するストッパを形成するようになっている。従って、ワイヤハーネスを固定する際に、作業者が常に安定した作業を行うことができる。また、ストッパにより、ワイヤハーネスの屈曲部分が他の部材と干渉してしまうことを防ぐこともできる。
【００２４】
請求項６記載の本発明のインストルメントパネルにおけるワイヤハーネスの固定構造は、請求項１ないし請求項５いずれか記載のインストルメントパネルにおけるワイヤハーネスの固定構造において、前記ハーネス固定部を前記ハーネス配索経路に少なくとも２以上形成することを特徴としている。
【００２５】
上記構成において、ハーネス固定部をエアダクト近傍のハーネス配索経路に少なくとも２以上形成するようになっている。従って、結露が発生し易い部位、即ちエアダクト内を流れるエアにより温度差を生じやすくなる部位にハーネス固定部が形成されることになるので、開口部から水を排出させることができ、ハーネス配索経路内に水が溜まってしまうことを確実に防止することができる。
【００２６】
上記課題を解決するためなされた請求項７記載の本発明のインストルメントパネルは、上部インパネ部材と下部インパネ部材との分割係合面にワイヤハーネスを配索収容するための凹状に窪ませたハーネス配索経路を有するインストルメントパネルであって、前記ハーネス配索経路の底壁に、エアダクト近傍の該ハーネス配索経路で生じる結露等の水の排出口を兼ねる開口部と、該開口部の前記ハーネスに沿った方向の一開口縁から突出するとともに前記ハーネスが通過可能なように該開口部の他の開口縁との間に間隙を設けて形成される固定片と、を有するハーネス固定部を形成することを特徴としている。
【００２７】
上記構成において、インストルメントパネルは、上部インパネ部材と下部インパネ部材との分割係合面にワイヤハーネスを配索収容するための凹状に窪ませたハーネス配索経路を有するインストルメントパネルであって、前記ハーネス配索経路の底壁に、エアダクト近傍の該ハーネス配索経路で生じる結露等の水の排出口を兼ねる開口部と、該開口部の前記ハーネスに沿った方向の一開口縁から突出するとともに前記ハーネスが通過可能なように該開口部の他の開口縁との間に間隙を設けて形成される固定片と、を有するハーネス固定部を形成するようになっている。このようにインストルメントパネルを構成すると、ワイヤハーネスにそのワイヤハーネスを固定するためのクリップ等の別部材を予め装着する必要がなくなるので、上述のようにワイヤハーネス側の生産性を向上させることができる。ハーネス固定部は、上述のように簡素な構成であり、また、屈曲挿入されたワイヤハーネスを固定片が保持するようになっているため、ワイヤハーネスの屈曲位置を調節すれば、容易に固定の際の組み付け誤差を吸収することができるようになる。さらにまた、開口部が排出口を兼ねることから、ハーネス配索経路内に水が溜まってしまうことはない。従って、接着剤や別部材を用いることなく合理的にワイヤハーネスを固定することができるとともに、その固定の際の組み付け誤差を吸収し、さらには結露等で生じる水を容易に排出することが可能なインストルメントパネルを提供することができる。
【００２８】
請求項８記載の本発明のインストルメントパネルは、請求項７に記載のインストルメントパネルにおいて、前記ハーネス固定部をエアダクト近傍の前記ハーネス配索経路に少なくとも２以上形成することを特徴としている。
【００２９】
上記構成において、ハーネス固定部をエアダクト近傍のハーネス配索経路に少なくとも２以上形成するようになっている。従って、結露が発生し易い部位、即ちエアダクト内を流れるエアにより温度差を生じやすい部位にハーネス固定部が形成されることになるので、水が発生しても開口部から排出させることができ、ハーネス配索経路内に水が溜まってしまうことを確実に防止することができる。
【００３０】
【発明の実施の形態】
以下、図面を参照して本発明の一実施の形態を説明する。図１は本発明のワイヤハーネスの固定構造及びインストルメントパネルの一実施の形態を示すインストルメントパネルの分解斜視図である。また、図２は図１の下部インパネ部材の平面図、図３は図２のハーネス固定部の拡大斜視図、図４は図３のＡ−Ａ線断面図、図５は図１のハーネス固定部の拡大斜視図、図６は図５のＢ−Ｂ線断面図、図７は図１のインストルメントパネルにおけるワイヤハーネスの固定状態を説明する断面図を示している。さらにまた、図８は本発明によるインストルメントパネルにおけるワイヤハーネスの固定構造の他の一実施の形態を示す斜視図、図９は図８のＣ−Ｃ線断面図を示している。尚、従来例と基本的に同一の構成部材には同一の符号を付して詳細な説明を省略する。
【００３１】
図１において、２１は自動車等の車両に取り付けられるインストルメントパネルを示しており、そのインストルメントパネル２１は、共に合成樹脂製の上部インパネ部材２と下部インパネ部材２２とから構成されている。また、上部インパネ部材２には、従来と同様に、内部に図示しない速度計、回転計等の計器類を装備したメータフード４が上部インパネ部材２に形成された取り付け部９を介して取り付けられるようになっている。
【００３２】
上部インパネ部材２は、従来と同様に構成されているので、ここでは説明を省略するが、メータフード４を一体に成形して前記計器類を後から装着する構成としてもよい。
【００３３】
図１及び図２において、下部インパネ部材２２には、上部インパネ部材２（図１参照）との分割係合面に凹状に窪ませた空調用のエアダクト１０と、デフロスタ用のエアダクト１１と、インストルメントパネル２１（図１参照）に配索されるワイヤハーネス２３のためのハーネス配索経路２４とが形成されており、エアダクト１０には、図示しない空調ユニットからのエア導入用流路１３が設けられている。また、エアダクト１１にも同様にエア導入用流路１４が設けられている。
【００３４】
ハーネス配索経路２４には、結露等が発生しやすいエアダクト１０に沿った部位やその他適宜部位にハーネス固定部２５が設けられており、図１に示される如く、そのハーネス固定部２５によってワイヤハーネス２３が固定されるようになっている。
【００３５】
ハーネス固定部２５は、図３に示される如く、ハーネス配索経路２４の底壁２４ａに矩形形状に開口する開口部２６と、その開口部２６の一開口縁２６ａから突出するとともに、その一開口縁２６ａに対する他の開口縁２６ｂ〜２６ｄからそれぞれハーネス所定間隔（全て等間隔である必要はなく、適宜設定できるものとする）をあけて形成される短冊片状の固定片２７とを有しており、開口部２６は、その開口部２６から臨む下部インパネ部材２２（図２参照）の内部へハーネス配索経路２４で生じた結露等の水を排出できるようになっている（矢線Ｑ参照）。
【００３６】
固定片２７は弾性を有し、成形性を考慮して、図３及び図４に示される如くの底壁２４ａの肉厚と同じ厚さで同一平面上に形成されており、下部インパネ部材２２（図２参照）の内部側となる先端には、断面形状が略半円状の突起２７ａが幅方向全体に設けられている。
【００３７】
尚、固定片２７は、剛体であってもよく、さらには、丸棒状等の形状にしてもよい。上記のように弾性を有する場合には、ワイヤハーネス２３に伝わる走行中の振動等を固定片２７の弾性によって吸収させることができる。
【００３８】
上記構成において、図５ないし図７を参照しながらワイヤハーネス２３をハーネス固定部２５へ固定する状態を説明する。
【００３９】
先ず、ワイヤハーネス２３をハーネス配索経路２４の底壁２４ａに沿って配索した後、ハーネス固定部２５部分のワイヤハーネス２３を押し込んでワイヤハーネス２３を開口部２６内に屈曲収容する。この時、固定片２７がワイヤハーネス２３に押されて撓み、ワイヤハーネス２３を乗り越えて復元した際には、ワイヤハーネス２３の剛性に抗してワイヤハーネス２３を保持することになる。そして、突起２７ａによってワイヤハーネス２３がハーネス固定部２５から走行中の振動等により容易に外れてしまうことはない。
【００４０】
以上、図１ないし図７を参照して説明したように、上記固定構造及びインストルメントパネル２１を採用すると、従来行われていたクリップ等の別部材を予め装着する必要がなくなり、ワイヤハーネス２３の生産性が向上するのは勿論のこと、従来の煩雑な組み付け
作業が解消されることになる。またこれに伴って、前記別部材に対する寸法精度の要求が当然の如くなくなる。
【００４１】
一方、ハーネス固定部２５は、上述のように簡素な構成であり、また、屈曲挿入されたワイヤハーネス２３を固定片２７が保持するようになっているため、ワイヤハーネス２３の屈曲位置を調節すれば、容易に固定の際の組み付け誤差を吸収させることができるようになる。さらにまた、開口部２６が排出口を兼ねることから、ハーネス配索経路２４内に水が溜まってしまうことはない。
【００４２】
従って、接着剤や前記別部材を用いることなく合理的にワイヤハーネス２３を固定するとともに、その固定の際の組み付け誤差を吸収し、さらには結露等で生じる水を容易に排出することが可能なワイヤハーネス２３の固定構造と、その固定構造を有するインストルメントパネル２１を提供することができる。
【００４３】
続いて、図８及び図９を参照してハーネス固定部の他の一実施の形態を説明する。図８及び図９に示されるハーネス固定部２８は、上述のハーネス固定部２５（図１参照）に対してストッパ２９、２９を追加して構成したものと同様であり、ハーネス配索経路２４の底壁２４ａに形成された矩形形状に開口する開口部３０と、その開口部３０の前記ハーネスに沿った方向の一開口縁３０ａ（図８参照）から突出するとともに前記ハーネスが通過可能なように該開口部の他の開口縁３０ｂ〜３０ｄ（図８参照）との間に間隙を設けて形成される短冊片状の弾性を有する固定片３１と、固定片３１の両側で一開口縁３０ａ及び開口縁３０ｃ（図８参照）間から下部インパネ部材２２（図１参照）の内部側に湾曲して配置される短冊片状のストッパ２９、２９とを有して構成されている。
【００４４】
また、固定片３１は、成形性を考慮して、底壁２４ａの肉厚と同じ厚さで同一平面上に形成されており、ストッパ２９、２９も底壁２４ａの肉厚と同じ厚さで形成されている（図９参照）。固定片３１の下部インパネ部材２２（図１参照）の内部側となる先端には、断面形状が略半円状の突起３１ａ（図８参照）が幅方向全体に設けられている。
【００４５】
このようにハーネス固定部２８を構成すると、ワイヤハーネス２３を上述のハーネス固定部２５（図５ないし図７参照）と同様の方法で固定する際に、ストッパ２９、２９によってワイヤハーネス２３が過度に屈曲収容されることはないので作業を安定させることができるという利点がある。また、ストッパ２９、２９により、下部インパネ部材２２（図１参照）の内部側に突出したワイヤハーネス２３の屈曲部分が図示しない他の部材と干渉することはない。
【００４６】
尚、ストッパ２９、２９を固定片３１のように片持ち梁状に形成することも可能である。
【００４７】
その他、本発明は本発明の主旨を変えない範囲で種々変更実施可能なことは勿論である。
【００４８】
【発明の効果】
以上説明したように、請求項１に記載された本発明によれば、インストルメントパネルにおけるワイヤハーネスの固定構造は、インストルメントパネルを構成する上部インパネ部材と下部インパネ部材との分割係合面に、前記インストルメントパネルに対して配索されるワイヤハーネスを収容するための凹状に窪ませたハーネス配索経路に、開口部と固定片とを有するハーネス固定部を形成し、そのハーネス固定部がハーネス配索経路でワイヤハーネスを固定する構造を採用している。ハーネス固定部の開口部は、ハーネス配索経路で生じる結露等の水の排出口を兼ねており、固定片が該開口部の前記ハーネスに沿った方向の一開口縁から突出するとともに前記ハーネスが通過可能なように該開口部の他の開口縁との間に間隙を設けて形成されている。そして、前記ワイヤハーネスを前記底壁の面から前記開口部の中へ押し込み略Ｕ字状に屈曲させ前記固定片と前記他の開口縁との間に前記ワイヤハーネスの屈曲部分を保持して前記ハーネス配索経路で前記ワイヤハーネスを固定するようになっている。このような固定構造を採用すると、予めクリップ等の別部材を装着する必要がなくなり、ワイヤハーネスの生産性が向上するのは勿論のこと、従来の煩雑な組み付け作業が解消されることになる。またこれに伴って、別部材に対する寸法精度の要求が当然の如くなくなる。一方、ハーネス固定部は、上述のように簡素な構成であり、また、屈曲挿入されたワイヤハーネスを固定片が保持するようになっているため、ワイヤハーネスの屈曲位置を調節すれば、容易に固定の際の組み付け誤差を吸収させることができるようになる。さらにまた、開口部が排出口を兼ねることから、ハーネス配索経路内に水が溜まってしまうことはない。従って、接着剤や別部材を用いることなく合理的にワイヤハーネスを固定するとともに、その固定の際の組み付け誤差を吸収し、さらには結露等で生じる水を容易に排出することが可能なワイヤハーネスの固定構造を提供することができるという効果を奏する。
【００４９】
請求項２に記載された本発明によれば、固定片に突起を設けてワイヤハーネスのはずれを防止するようになっている。従って、このような突起を設けることにより、その突起がワイヤハーネスと係合し、走行中の振動等の要因でワイヤハーネスがハーネス固定部からはずれてしまうことを防ぐことができるという効果を奏する。
【００５０】
請求項３に記載された本発明によれば、ハーネス固定部の固定片を短冊片状に形成するようになっている。従って、固定片をハーネス配索経路の板厚に合わせて形成することが可能になるので、成形性を高めることができるという効果を奏する。
【００５１】
請求項４に記載された本発明によれば、ハーネス固定部の固定片は弾性を有するようになっている。従って、ワイヤハーネスを固定する際に、固定片を撓ませながら容易に装着することができるという効果を奏する。また、例えばワイヤハーネスに伝わった走行中の振動等を固定片の弾性によって吸収させることもできるという効果を奏する。
【００５２】
請求項５に記載された本発明によれば、前記固定片と前記他の開口縁との間の間隙に、開口部の内部側に湾曲していて、ワイヤハーネスの過度の屈曲を制限するストッパを形成するようになっている。従って、ワイヤハーネスを固定する際に、作業者が常に安定した作業を行うことができるという効果を奏する。また、ストッパにより、ワイヤハーネスの屈曲部分が他の部材と干渉してしまうことを防ぐこともできるという効果を奏する。
【００５３】
請求項６に記載された本発明によれば、ハーネス固定部をエアダクト近傍のハーネス配索経路に少なくとも２以上形成するようになっている。従って、結露が発生し易い部位、即ちエアダクト内を流れるエアにより温度差を生じやすくなる部位にハーネス固定部が形
成されることになるので、開口部から水を排出させることができ、ハーネス配索経路内に水が溜まってしまうことを確実に防止することができるという効果を奏する。
【００５４】
請求項７に記載された本発明によれば、インストルメントパネルは、上部インパネ部材と下部インパネ部材との分割係合面にワイヤハーネスを配索収容するための凹状に窪ませたハーネス配索経路を有するインストルメントパネルであって、
前記ハーネス配索経路の底壁に、エアダクト近傍の該ハーネス配索経路で生じる結露等の水の排出口を兼ねる開口部と、該開口部の前記ハーネスに沿った方向の一開口縁から突出するとともに前記ハーネスが通過可能なように該開口部の他の開口縁との間に間隙を設けて形成される固定片と、を有するハーネス固定部を形成するようになっている。このようにインストルメントパネルを構成すると、ワイヤハーネスにそのワイヤハーネスを固定するためのクリップ等の別部材を予め装着する必要がなくなるので、上述のようにワイヤハーネス側の生産性を向上させることができる。ハーネス固定部は、上述のように簡素な構成であり、また、屈曲挿入されたワイヤハーネスを固定片が保持するようになっているため、ワイヤハーネスの屈曲位置を調節すれば、容易に固定の際の組み付け誤差を吸収することができるようになる。さらにまた、開口部が排出口を兼ねることから、ハーネス配索経路内に水が溜まってしまうことはない。従って、接着剤や別部材を用いることなく合理的にワイヤハーネスを固定することができるとともに、その固定の際の組み付け誤差を吸収し、さらには結露等で生じる水を容易に排出することが可能なインストルメントパネルを提供することができるという効果を奏する。
【００５５】
請求項８に記載された本発明によれば、ハーネス固定部をエアダクト近傍のハーネス配索経路に少なくとも２以上形成するようになっている。従って、結露が発生し易い部位、即ちエアダクト内を流れるエアにより温度差を生じやすい部位にハーネス固定部が形成されることになるので、水が発生しても開口部から排出させることができ、ハーネス配索経路内に水が溜まってしまうことを確実に防止することができるという効果を奏する。
【図面の簡単な説明】
【図１】  本発明によるインストルメントパネルにおけるワイヤハーネスの固定構造及びインストルメントパネルの一実施の形態を示す分解斜視図である。
【図２】  図１の下部インパネ部材の平面図である。
【図３】  図２のハーネス固定部の拡大斜視図である。
【図４】  図３のＡ−Ａ線断面図である。
【図５】  図１のハーネス固定部の拡大斜視図である。
【図６】  図５のＢ−Ｂ線断面図である。
【図７】  図１のインストルメントパネルにおけるワイヤハーネスの固定状態を説明する断面図である。
【図８】  本発明によるインストルメントパネルにおけるワイヤハーネスの固定構造の他の一実施の形態を示す斜視図である。
【図９】  図８のＣ−Ｃ線断面図である。
【図１０】  従来例のインストルメントパネルの分解斜視図である。
【図１１】  図１０の下部インパネ部材の平面図である。
【図１２】  図１０の上部インパネ部材の平面図である。
【図１３】  図１０のインストルメントパネルにおけるワイヤハーネスの固定状態を説明する断面図である。
【符号の説明】
２ 上部インパネ部材
１０ エアダクト
２１ インストルメントパネル
２２ 下部インパネ部材
２３ ワイヤハーネス
２４ ハーネス配索経路
２５ ハーネス固定部
２６ 開口部
２７ 固定片
２７ａ 突起
２８ ハーネス固定部
２９ ストッパ
３０ 開口部
３１ 固定片
３１ａ 突起
【図１】
0003950233.tif 000002
【図２】
0003950233.tif 000003
【図３】
0003950233.tif 000004
【図４】
0003950233.tif 000005
【図５】
0003950233.tif 000006
【図６】
0003950233.tif 000007
【図７】
0003950233.tif 000008
【図８】
0003950233.tif 000009
【図９】
0003950233.tif 000010
【図１０】
0003950233.tif 000011
【図１１】
0003950233.tif 000012
【図１２】
0003950233.tif 000013
【図１３】
0003950233.tif 000014